(57)【要約】【課題】水の溢れ出しを防止しつつ、各種コストを低減可能なオーバーフロー付槽体を提供する。【解決手段】オーバーフロー付槽体は、貯水空間及び排水口２４の形成された底壁部を有する槽体としての洗面器２と、オーバーフロー筒体３１とを備える。底壁部における排水口２４周囲の被載置部２１１にオーバーフロー筒体３１を立てた状態で載置すること等により、オーバーフロー筒体３１を立設状態とした場合、洗面器２からの水の溢れ出しを防止しつつ、貯水空間内にて所定位置まで貯水可能な閉状態となる一方、前記立設状態を解除した場合、貯水空間内の水が排水口２４を通って排出される開状態となる。オーバーフロー付槽体は、前記立設状態を解除した場合に、貯水空間内及び貯水空間の上方の少なくとも一方にてオーバーフロー筒体３１を保持可能な保持手段１１を備える。【選択図】      図７
2017210803.tif 000002
【特許請求の範囲】
【請求項１】
排水口の閉時における水の溢れ出し防止機能を備えたオーバーフロー付槽体であって、
所定の貯水空間、及び、当該貯水空間内の水を排出するための前記排水口を形成する底壁部を有する槽体と、
直筒状をなすオーバーフロー筒体とを備え、
前記底壁部における前記排水口の周囲に位置する環状の被載置部に対し前記オーバーフロー筒体を立てた状態で載置した状態とすること、又は、前記排水口に前記オーバーフロー筒体を立てた状態で挿通した状態とすることにより、前記オーバーフロー筒体を立設状態とした場合、前記オーバーフロー筒体の上端を越えた水が前記オーバーフロー筒体内に流れ込むことで前記槽体からの水の溢れ出しを防止しつつ、前記貯水空間内において前記オーバーフロー筒体の上端を越えない位置まで貯水可能な閉状態となる一方、前記立設状態を解除した場合、前記貯水空間内の水が前記排水口を通って排出される開状態となるように構成され、
前記立設状態を解除した場合において、前記貯水空間内及び前記貯水空間の上方の少なくとも一方にて前記オーバーフロー筒体を保持可能な保持手段を備えることを特徴とするオーバーフロー付槽体。
【請求項２】
前記貯水空間内又は前記貯水空間の上方に張り出した状態で配置され、下方に空間の形成された板状のカウンタを具備し、
前記保持手段は、前記カウンタの下方に位置する空間にて、前記オーバーフロー筒体を保持可能に構成されていることを特徴とする請求項１に記載のオーバーフロー付槽体。
【請求項３】
前記保持手段の少なくとも一部は、前記カウンタの下面に取付けられていることを特徴とする請求項２に記載のオーバーフロー付槽体。
【請求項４】
前記オーバーフロー筒体と一体とされた板状の前垂部を有するとともに、
前記カウンタの下方に前記排水口が設けられており、
少なくとも前記保持手段により前記オーバーフロー筒体を保持した場合において、前記前垂部の少なくとも一部が前記カウンタから垂れ下がった状態で配置され、前記カウンタ及び前記前垂部によって前記オーバーフロー筒体及び前記排水口が視認不能又は視認困難となるように構成されていることを特徴とする請求項２又は３に記載のオーバーフロー付槽体。
【請求項５】
前記槽体の後方側壁部に前方及び上方が開放した後方凹部が設けられ、
前記後方凹部内に前記排水口が設けられており、
前記立設状態とした場合、及び、前記保持手段により前記オーバーフロー筒体を保持した場合の双方において、前記前垂部が前記後方凹部の前方開口部に配設され、前記排水口が視認不能又は視認困難となるように構成されていることを特徴とする請求項４に記載のオーバーフロー付槽体。
【請求項６】
前記槽体の前方側壁部に後方及び上方が開放した前方凹部が設けられ、
前記前方凹部内に前記排水口が設けられており、
前記立設状態とした場合、及び、前記保持手段により前記オーバーフロー筒体を保持した場合の双方において、前記前垂部が前記前方凹部の後方開口部に配設され、前記前垂部及び前記カウンタにより前記排水口が視認不能又は視認困難となるように構成されていることを特徴とする請求項４に記載のオーバーフロー付槽体。
【請求項７】
前記保持手段により前記オーバーフロー筒体を保持した場合において、前記オーバーフロー筒体は、前記カウンタの直下方に位置するとともに、前記カウンタに対しほぼ平行な状態となるように構成されていることを特徴とする請求項２乃至６のいずれか１項に記載のオーバーフロー付槽体。
【請求項８】
前記オーバーフロー筒体と一体とされたガード部を有し、
少なくとも前記保持手段により前記オーバーフロー筒体を保持した場合において、前記ガード部の少なくとも一部が前記カウンタの上面よりも上方に配置されるように構成されていることを特徴とする請求項２乃至７のいずれか１項に記載のオーバーフロー付槽体。
【請求項９】
前記保持手段は、前記カウンタに取付けられた被係止部と、前記オーバーフロー筒体に取付けられ、前記被係止部へと係止可能な係止部とを備えることを特徴とする請求項２乃至８のいずれか１項に記載のオーバーフロー付槽体。
【請求項１０】
前記保持手段は、吸盤を備えることを特徴とする請求項１乃至８のいずれか１項に記載のオーバーフロー付槽体。
【請求項１１】
前記保持手段により前記オーバーフロー筒体を保持した場合において、前記オーバーフロー筒体の少なくとも一部が前記排水口の鉛直上方に位置するように構成されていることを特徴とする請求項１乃至１０のいずれか１項に記載のオーバーフロー付槽体。
【請求項１２】
前記オーバーフロー筒体に取付けられた持ち手部を備え、
前記立設状態とした場合において、前記持ち手部の少なくとも一部が、前記オーバーフロー筒体の上端よりも上方に位置するように構成されていることを特徴とする請求項１乃至１１のいずれか１項に記載のオーバーフロー付槽体。
【請求項１３】
前記立設状態とした場合において、前記オーバーフロー筒体を保持する第二保持手段を備えることを特徴とする請求項１乃至１２のいずれか１項に記載のオーバーフロー付槽体。
【請求項１４】
前記第二保持手段の少なくとも一部は、前記カウンタの下面に取付けられていることを特徴とする請求項２乃至９及び請求項２に従属する請求項１０乃至１２のいずれか１項に従属する請求項１３に記載のオーバーフロー付槽体。
【発明の詳細な説明】
【技術分野】
【０００１】
本発明は、水の溢れ出しを防止する機能を備えてなるオーバーフロー付槽体に関する。
【背景技術】
【０００２】
従来、槽体（洗面器や浴槽等）からの水の溢れ出しを防止するために、槽体の側壁部にオーバーフロー口を設ける手法が知られている。通常、オーバーフロー口に対しては、排水の流路となるオーバーフロー管が接続され、当該オーバーフロー管は、例えば、槽体の排水口に通じる排水管などに接続される（例えば、特許文献１等参照）。
【先行技術文献】
【特許文献】
【０００３】
【特許文献１】特開２００８−３８５７３号公報
【発明の概要】
【発明が解決しようとする課題】
【０００４】
しかしながら、上記のように構成するためには、槽体にオーバーフロー口を設けるとともに、オーバーフロー管などの設置作業を行う必要がある。そのため、製造コストや設備の設置に係るコストなどの各種コストが増大してしまうおそれがある。
【０００５】
一方、オーバーフロー口やオーバーフロー管を設けないこととすれば、各種コストの増大を招くことはないが、槽体からの水の溢れ出しを防止できないことになってしまう。
【０００６】
本発明は、上記事情に鑑みてなされたものであり、その目的は、水の溢れ出しを防止することができるとともに、各種コストの低減を図ることができるオーバーフロー付槽体を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．排水口の閉時における水の溢れ出し防止機能を備えたオーバーフロー付槽体であって、
所定の貯水空間、及び、当該貯水空間内の水を排出するための前記排水口を形成する底壁部を有する槽体と、
直筒状をなすオーバーフロー筒体とを備え、
前記底壁部における前記排水口の周囲に位置する環状の被載置部に対し前記オーバーフロー筒体を立てた状態で載置した状態とすること、又は、前記排水口に前記オーバーフロー筒体を立てた状態で挿通した状態とすることにより、前記オーバーフロー筒体を立設状態とした場合、前記オーバーフロー筒体の上端を越えた水が前記オーバーフロー筒体内に流れ込むことで前記槽体からの水の溢れ出しを防止しつつ、前記貯水空間内において前記オーバーフロー筒体の上端を越えない位置まで貯水可能な閉状態となる一方、前記立設状態を解除した場合、前記貯水空間内の水が前記排水口を通って排出される開状態となるように構成され、
前記立設状態を解除した場合において、前記貯水空間内及び前記貯水空間の上方の少なくとも一方にて前記オーバーフロー筒体を保持可能な保持手段を備えることを特徴とするオーバーフロー付槽体。
【０００９】
上記手段１によれば、オーバーフロー付槽体は、直筒状をなすオーバーフロー筒体を備えており、底壁部における排水口の周囲に位置する環状の被載置部に対しオーバーフロー筒体を立てた状態で載置したり、排水口にオーバーフロー筒体を挿通したりすることにより、貯水空間内においてオーバーフロー筒体の上端を越えない位置まで貯水可能となる。そして、オーバーフロー筒体の上端を越えた水は、オーバーフロー筒体に対してその上端開口から流れ込み、排水口を通って排出される。従って、閉状態における水の溢れ出しをより確実に防止することができる。また、水の溢れ出しを防止するにあたって、オーバーフロー口やオーバーフロー管などを設ける必要はないため、各種コストの低減を図ることができる。
【００１０】
さらに、被載置部からオーバーフロー筒体を外したり、排水口からオーバーフロー筒体を抜いたりすることにより、貯水空間内の水が排水口を通って排出される開状態となるが、この状態においては、保持手段によって、貯水空間内及び貯水空間の上方の少なくとも一方にて、オーバーフロー筒体を保持することができる。すなわち、オーバーフロー筒体に付着した水が落下したとしても、全く問題のない位置にてオーバーフロー筒体を保持することができる。従って、良好な衛生性を実現しつつ、使用者にとっての使い勝手を大いに向上させることができる。
【００１１】
手段２．前記貯水空間内又は前記貯水空間の上方に張り出した状態で配置され、下方に空間の形成された板状のカウンタを具備し、
前記保持手段は、前記カウンタの下方に位置する空間にて、前記オーバーフロー筒体を保持可能に構成されていることを特徴とする手段１に記載のオーバーフロー付槽体。
【００１２】
上記手段２によれば、カウンタに対し、各種水回りで利用される物品などを置くことが可能となる。つまり、カウンタを設けることによって、物品の置き場を得ることができ、使用者にとっての利便性をより高めることができる。
【００１３】
また、上記手段２によれば、保持手段により保持されたオーバーフロー筒体は、カウンタの下方に収まった状態となるため、見栄えの向上を図ることができる。
【００１４】
手段３．前記保持手段の少なくとも一部は、前記カウンタの下面に取付けられていることを特徴とする手段２に記載のオーバーフロー付槽体。
【００１５】
上記手段３によれば、保持手段の少なくとも一部は、カウンタの下面に取付けられている。従って、カウンタの存在によって、保持手段の少なくとも一部が見えにくい状態になる。これにより、見栄えを一層向上させることができる。
【００１６】
手段４．前記オーバーフロー筒体と一体とされた板状の前垂部を有するとともに、
前記カウンタの下方に前記排水口が設けられており、
少なくとも前記保持手段により前記オーバーフロー筒体を保持した場合において、前記前垂部の少なくとも一部が前記カウンタから垂れ下がった状態で配置され、前記カウンタ及び前記前垂部によって前記オーバーフロー筒体及び前記排水口が視認不能又は視認困難となるように構成されていることを特徴とする手段２又は３に記載のオーバーフロー付槽体。
【００１７】
尚、「一体とされた」とあるのは、一体成型される場合のみならず、別々に形成した部材同士を固定した場合も含む。また、別々に形成した部材同士は、分離可能な状態で固定されていてもよい（以下、同様）。
【００１８】
上記手段４によれば、カウンタ下には排水口が設けられており、槽体におけるカウンタ下に位置する部位は比較的汚れやすいところ、このように汚れやすい部位をカウンタによって視認困難なものとすることができる。従って、見栄えをさらに向上させることができる。
【００１９】
また、保持手段によりオーバーフロー筒体を保持した場合、つまり、開状態となった場合において、カウンタから前垂部が垂れ下がった状態となり、前垂部やカウンタによって、カウンタの下方空間で保持されているオーバーフロー筒体やカウンタの下方に位置する排水口を視認不能又は視認困難な状態とすることができる。これにより、開状態における見栄えをより良くすることができる。
【００２０】
尚、槽体が洗面器である場合、基本的には開状態で維持されることが多い。従って、上記手段４の構成は、槽体が洗面器である場合に特に有効である。
【００２１】
手段５．前記槽体の後方側壁部に前方及び上方が開放した後方凹部が設けられ、
前記後方凹部内に前記排水口が設けられており、
前記立設状態とした場合、及び、前記保持手段により前記オーバーフロー筒体を保持した場合の双方において、前記前垂部が前記後方凹部の前方開口部に配設され、前記排水口が視認不能又は視認困難となるように構成されていることを特徴とする手段４に記載のオーバーフロー付槽体。
【００２２】
上記手段５によれば、閉状態及び開状態であるときの双方において、前垂部及びカウンタにより、排水口が視認不能又は視認困難となる。従って、異物や汚れの付着しやすい排水口を形成する部位が見えにくくなり、見栄えを効果的に高めることができる。
【００２３】
また、後方凹部内に位置する排水口周りや槽体の壁に対する清掃はやや難しい場合があるが、上記手段５によれば、前垂部及びカウンタによって後方凹部内も見えにくい状態となる。そのため、後方凹部内に位置する排水口周りや槽体の壁の清掃を頻繁に行わなくても、槽体を外観上綺麗な状態で維持することができる。従って、良好な外観を維持するために排水口周りなどを頻繁に清掃する必要はなくなり、使い勝手の更なる向上を図ることができる。
【００２４】
さらに、上記手段５によれば、後方凹部に排水口が設けられているため、被載置部に対しオーバーフロー筒体を立てた状態で載置したり、排水口にオーバーフロー筒体を立てた状態で挿通したりしたときに、オーバーフロー筒体が後方凹部に配置されることとなる。そのため、オーバーフロー筒体が邪魔となりにくくなり、使用者にとっての使い勝手を一層高めることができる。
【００２５】
手段６．前記槽体の前方側壁部に後方及び上方が開放した前方凹部が設けられ、
前記前方凹部内に前記排水口が設けられており、
前記立設状態とした場合、及び、前記保持手段により前記オーバーフロー筒体を保持した場合の双方において、前記前垂部が前記前方凹部の後方開口部に配設され、前記前垂部及び前記カウンタにより前記排水口が視認不能又は視認困難となるように構成されていることを特徴とする手段４に記載のオーバーフロー付槽体。
【００２６】
上記手段６によれば、上記手段５と同様の作用効果が奏されることとなる。
【００２７】
手段７．前記保持手段により前記オーバーフロー筒体を保持した場合において、前記オーバーフロー筒体は、前記カウンタの直下方に位置するとともに、前記カウンタに対しほぼ平行な状態となるように構成されていることを特徴とする手段２乃至６のいずれかに記載のオーバーフロー付槽体。
【００２８】
尚、「ほぼ平行」とあるのは、厳密な平行状態のみならず、カウンタに対しオーバーフロー筒体（の中心軸）がやや斜めになっている状態も含むという趣旨である。
【００２９】
上記手段７によれば、保持手段によりオーバーフロー筒体を保持した場合において、オーバーフロー筒体はカウンタの直下方に位置し、また、オーバーフロー筒体（の中心軸）はカウンタに対しがほぼ平行な状態となるように構成されている。従って、オーバーフロー筒体を保持した状態において、上方から見たとき、オーバーフロー筒体をカウンタにより隠れた状態とすることができ、見栄えを一層向上させることができる。
【００３０】
手段８．前記オーバーフロー筒体と一体とされたガード部を有し、
少なくとも前記保持手段により前記オーバーフロー筒体を保持した場合において、前記ガード部の少なくとも一部が前記カウンタの上面よりも上方に配置されるように構成されていることを特徴とする手段２乃至７のいずれかに記載のオーバーフロー付槽体。
【００３１】
上記手段８によれば、ガード部のうちカウンタの上面よりも上方に配置される部位によって、カウンタに載置された物品の落下防止を図ることができる。これにより、使用者にとっての使い勝手をさらに向上させることができる。
【００３２】
手段９．前記保持手段は、前記カウンタに取付けられた被係止部と、前記オーバーフロー筒体に取付けられ、前記被係止部へと係止可能な係止部とを備えることを特徴とする手段２乃至８のいずれかに記載のオーバーフロー付槽体。
【００３３】
上記手段９によれば、オーバーフロー筒体の保持及び保持解除を容易に行うことができ、使い勝手をより高めることができる。
【００３４】
手段１０．前記保持手段は、吸盤を備えることを特徴とする手段１乃至８のいずれかに記載のオーバーフロー付槽体。
【００３５】
上記手段１０によれば、保持手段の吸盤を用いることによって、オーバーフロー筒体の保持及び保持解除を容易に行うことができ、使い勝手をさらに向上させることができる。
【００３６】
手段１１．前記保持手段により前記オーバーフロー筒体を保持した場合において、前記オーバーフロー筒体の少なくとも一部が前記排水口の鉛直上方に位置するように構成されていることを特徴とする手段１乃至１０のいずれかに記載のオーバーフロー付槽体。
【００３７】
尚、「オーバーフロー筒体の少なくとも一部が排水口の鉛直上方に位置する」とあるのは、オーバーフロー筒体の内周に位置する空間の一部が排水口の鉛直上方に位置する場合も含む。
【００３８】
上記手段１１によれば、オーバーフロー筒体から落下した水が排水口へと流れ込みやすくなる。従って、衛生性や使用者にとっての使い勝手を一段と向上させることができる。
【００３９】
手段１２．前記オーバーフロー筒体に取付けられた持ち手部を備え、
前記立設状態とした場合において、前記持ち手部の少なくとも一部が、前記オーバーフロー筒体の上端よりも上方に位置するように構成されていることを特徴とする手段１乃至１１のいずれかに記載のオーバーフロー付槽体。
【００４０】
上記手段１２によれば、持ち手部を利用することで、槽体に貯まった水に手をつけることなく、立設状態を解除し、開状態とすることができる。従って、使用者にとっての快適性や利便性を高めることができる。
【００４１】
手段１３．前記立設状態とした場合において、前記オーバーフロー筒体を保持する第二保持手段を備えることを特徴とする手段１乃至１２のいずれかに記載のオーバーフロー付槽体。
【００４２】
上記手段１３によれば、第二保持手段によって、閉状態（立設状態）におけるオーバーフロー筒体の倒れをより確実に防止することができ、使用者にとっての使い勝手を一層向上させることができる。
【００４３】
手段１４．前記第二保持手段の少なくとも一部は、前記カウンタの下面に取付けられていることを特徴とする手段２乃至９、及び、手段２に従属する手段１０乃至１２のいずれかに従属する手段１３に記載のオーバーフロー付槽体。
【００４４】
例えば、槽体の側壁などに第二保持手段を設ける場合、槽体と第二保持手段とを一体成形したり、槽体に対し孔を形成した上で、この孔を用いて第二保持手段を槽体へと取付けたりすることが考えられる。しかしながら、槽体と第二保持手段とを一体成型することは困難である。また、槽体に対し孔を形成することは容易ではなく、仮に孔を形成したとしても、槽体における水密性を確保するために、例えば、シール用のパッキンを設置するなどの各種処理などを行う必要が生じてしまう。
【００４５】
この点、上記手段１４によれば、第二保持手段の少なくとも一部は、カウンタの下面に取付けられている。従って、槽体に第二保持手段を設ける場合と比較して、水密性を確保するための処理等を特に行うことなく、第二保持手段をより容易に設けることができる。
【００４６】
また、上記手段１４によれば、立設状態とした場合において、第二保持手段により、オーバーフロー筒体の上方側部位を保持しやすくなる。従って、オーバーフロー筒体をより安定的に立てた状態で維持することができ、使い勝手を一段と高めることができる。
【００４７】
さらに、カウンタの存在によって、第二保持手段の少なくとも一部が見えにくい状態になるため、見栄えをより一層向上させることも可能である。
【図面の簡単な説明】
【００４８】
【図１】オーバーフロー筒体を立設した状態におけるオーバーフロー付槽体を示す斜視図である。
【図２】洗面器の斜視図である。
【図３】図１のＪ−Ｊ線断面図である。
【図４】保持手段等を示す部分拡大断面図である。
【図５】可動部材の斜視図である。
【図６】保持手段によりオーバーフロー筒体を保持した状態におけるオーバーフロー付槽体を示す斜視図である。
【図７】図６のＫ−Ｋ線断面図である。
【図８】別の実施形態におけるガード部及び持ち手部を示すためのオーバーフロー付槽体の斜視図である。
【図９】別の実施形態における洗面器を示す斜視図である。
【図１０】別の実施形態における保持手段等を示す部分拡大側面図である。
【図１１】別の実施形態において、保持手段により保持されたオーバーフロー筒体等を示す拡大斜視図である。
【図１２】別の実施形態における、吸盤を備えた保持手段を示すためのオーバーフロー筒体の斜視図である。
【図１３】別の実施形態における保持手段等を示す斜視図である。
【図１４】別の実施形態における保持手段等を示す部分拡大断面図である。
【図１５】別の実施形態における保持手段等を示す部分拡大断面図である。
【発明を実施するための形態】
【００４９】
以下に、一実施形態について図面を参照しつつ説明する。図１に示すように、オーバーフロー付槽体１は、槽体としての洗面器２と、可動部材３とを備えている。
【００５０】
洗面器２は、図２に示すように、底面を構成する底壁部２１と、当該底壁部２１の外縁において立設された側壁部２２とを有している。そして、底壁部２１及び側壁部２２によって貯水空間２３が形成されている。また、底壁部２１には、排水口２４が貫通形成されており、当該排水口２４を通って前記貯水空間２３内の水が排出可能となっている。加えて、底壁部２１における排水口２４の周囲には、環状の被載置部２１１が設けられている。被載置部２１１の上面は、排水口２４側に向けて徐々に下がる傾斜面とされている。
【００５１】
尚、排水口２４に対し筒状の排水口部材を挿設するとともに、当該排水口部材に対し底壁部２１の下方において筒状の排水管を接続した状態としてもよいし、排水口部材を設けることなく、排水口２４と連なるようにして底壁部２１に対し排水管を固定してもよい。このように構成することで、排水口２４（排水口部材の内周）を通過した排水は、前記排水管内へと流れ込み、排出される。尚、排水口部材を設けた場合には、この排水口部材によって被載置部２１１が形成されるようにしてもよい。
【００５２】
側壁部２２は、使用者から見て、手前側に位置する前方側壁部２２１と、奥側（先方）に位置する後方側壁部２２２と、左側に位置する左側側壁部２２３と、右側に位置する右側側壁部２２４とを備えている。前方側壁部２２１、左側側壁部２２３及び右側側壁部２２４は、それぞれ前記貯水空間２３を形成する部位が若干傾斜した連続面とされている。これに対し、後方側壁部２２２は、基部２２２Ａと、当該基部２２２Ａよりも奥側（先方）に位置する最奥部２２２Ｂと、両者を連接する連接部２２２Ｃとを備えており、前記貯水空間２３を形成する部位が奥側に向けて凹んだ形状となっている。すなわち、後方側壁部２２２には、前方及び上方が開口した後方凹部２２２Ｄが形成されている。本実施形態において、後方凹部２２２Ｄは、右側側壁部２２４に隣接しており、洗面器２における右奥に設けられている。そして、後方凹部２２２Ｄ内に、排水口２４が形成されている。
【００５３】
また、後方側壁部２２２は、基部２２２Ａの裏側（貯水空間２３とは反対側）の空間を上方から覆う上壁部２２２Ｅを具備している。上壁部２２２Ｅは、基部２２２Ａの上端縁と連接部２２２Ｃの上端縁とに連接されており、少なくとも上面が水平に延びる平坦面状とされている。そして、上壁部２２２Ｅと隣り合い、かつ、前記後方凹部２２２Ｄの上部開口を塞ぐようにしてカウンタ４が設けられている。
【００５４】
カウンタ４は、水平方向に延びる平板状をなしており、前記貯水空間２３内又は前記貯水空間２３の上方に張り出した状態（本実施形態では、前記貯水空間２３内）にて、図示しない固定手段により洗面器２に固定されている。また、カウンタ４は、その下方に空間が形成されるように構成されており、本実施形態では、その下方に後方凹部２２２Ｄが存在する状態となっている。尚、洗面器２に対しカウンタ４を取付・取外可能に構成してもよい。
【００５５】
さらに、カウンタ４は、その上面が上壁部２２２Ｅの上面とほぼ面一となるように構成されている。カウンタ４の上面及び上壁部２２２Ｅの上面は、例えば、各種水回りで利用される物品などを置くための置き場として利用可能となっている。
【００５６】
加えて、カウンタ４の下面には、図３及び図４に示すように、鉛直下方に向けて延びる保持棒５が取付けられている。保持棒５は、前方側に向けて開口する第一凹部５１及び第二凹部５２を備えている。第一凹部５１は、カウンタ４の下面の直下方に形成されており、第二凹部５２は、第一凹部５１から所定距離だけ下方に離れた位置に形成されている。そして、保持棒５のうち第一凹部５１を形成する部位によって被係止部５３が構成されている。
【００５７】
可動部材３は、洗面器２やカウンタ４とは別に独立して設けられた部材であり、オーバーフロー筒体３１と、前垂部３２と、被係止部としての保持突起３３とを備えている。
【００５８】
オーバーフロー筒体３１は、貯水空間２３において貯水可能な状態と貯水不能な状態とを切換えるために用いられるものであり、図５に示すように、両端部が開口した直筒状をなす本体部３１１と、当該本体部３１１の一端部外周に嵌め込まれた環状のパッキン部３１２とを備えている。本体部３１１は、その軸方向に沿った長さが前記貯水空間２３の深さより小さなものとされており、本実施形態では、側壁部２２の高さよりも小さなものとされている。
【００５９】
前垂部３２は、平板状をなしており、オーバーフロー筒体３１と一体成型されている。前垂部３２は、その高さが本体部３１１の高さとほぼ同じであり、その外縁形状は、後方凹部２２２Ｄの前方側開口における上部を除いた部分の形状に対応するものとされている。尚、オーバーフロー筒体３１及び前垂部３２を別々に形成した上で、両者を分離不能又は分離可能な状態で固定することとしてもよい。
【００６０】
保持突起３３は、オーバーフロー筒体３１（本体部３１１）の他端部外周であって、前垂部３２とは反対側に位置する部位において突出形成されている。保持突起３３は、前記第一凹部５１及び前記第二凹部５２に対応する形状をなしており、両凹部５１，５２に対し配置可能となっている。
【００６１】
上記のように構成された可動部材３を用い、貯水空間２３において貯水可能な状態とする場合には、図４に示すように、排水口２４の直上において、パッキン部３１２の全周が接触するように前記被載置部２１１に対しオーバーフロー筒体３１を立てた状態で載置することにより、オーバーフロー筒体３１を立設状態とする。この立設状態とすることで、貯水空間２３内においてオーバーフロー筒体３１（本体部３１１）の上端を越えない位置まで貯水可能な閉状態となる。一方、オーバーフロー筒体３１（本体部３１１）の上端を越えた水は、オーバーフロー筒体３１（本体部３１１）内へと流れ込み、排水口２４へと案内される。そのため、洗面器２からの水の溢れ出しが防止されることとなる。
【００６２】
また、前記立設状態においては、前記第二凹部５２に対し保持突起３３が配置され、可動部材３（オーバーフロー筒体３１や前垂部３２等）が保持される。すなわち、本実施形態では、保持棒５及び保持突起３３によって、第二保持手段１２が構成されている。尚、本実施形態では、第二保持手段１２によって、オーバーフロー筒体３１の上方側部位が保持された状態となる。
【００６３】
さらに、前記立設状態において、前垂部３２は、後方凹部２２２Ｄの前方開口部に配置される。このとき、上記の通り、前垂部３２の外縁形状は、後方凹部２２２Ｄの前方側開口における上部を除いた部分の形状に対応するものとされているため、前垂部３２の外縁部分と、右側側壁部２２４、底壁部２１及び連接部２２２Ｃとの間には、隙間がほとんどない状態とされる。そのため、カウンタ４及び前垂部３２によって、排水口２４及び後方凹部２２２Ｄ内は、使用者から視認不能又は視認困難となる。一方、前記立設状態において、前垂部３２の上端縁とカウンタ４との間には隙間が形成される。そのため、貯水時には、この隙間を通って後方凹部２２２Ｄ側の空間、すなわち、オーバーフロー筒体３１（本体部３１１）側が配置されている側の空間へと水が円滑に流れることとなり、ひいては水の溢れ出しがより確実に防止されるようになっている。
【００６４】
一方、前記立設状態を解除し、被載置部２１１からパッキン部３１２を外した場合には、貯水空間２３内の水が排水口２４を通って排出される開状態となる。そして、前記立設置状態を解除した場合においては、図６及び図７に示すように、前記第一凹部５１に対し保持突起３３が配置され、前記被係止部５３に対し保持突起３３が係止されることで、オーバーフロー筒体３１を、カウンタ４の下方に位置する空間にて保持することが可能となっている。すなわち、本実施形態では、保持棒５及び保持突起３３によって、オーバーフロー筒体３１を、貯水空間２３内にて保持する保持手段１１が構成されている。
【００６５】
さらに、保持手段１１によってオーバーフロー筒体３１を保持した状態においては、前垂部３２は、少なくとも一部（本実施形態では、全体）がカウンタ４から垂れ下がった状態で、後方凹部２２２Ｄの前方開口部に配設される。そのため、カウンタ４及び前垂部３２によって、オーバーフロー筒体３１、排水口２４及び後方凹部２２２Ｄ内は、使用者から視認不能又は視認困難となる。すなわち、本実施形態では、前記立設状態とした場合、及び、保持手段１１によりオーバーフロー筒体３１を保持した場合の双方において、排水口２４及び後方凹部２２２Ｄ内が、使用者から視認不能又は視認困難となるように構成されている。尚、保持手段１１によってオーバーフロー筒体３１を保持した状態においては、前垂部３２の下端縁と底壁部２１との間に隙間が形成される。そのため、この隙間を通って排水口２４側へと水が円滑に流れるようになっている。
【００６６】
加えて、保持手段１１によりオーバーフロー筒体３１を保持した場合においては、オーバーフロー筒体３１の少なくとも一部が排水口２４の鉛直上方に位置することとなる。
【００６７】
以上詳述したように、本実施形態によれば、洗面器２からの水の溢れ出しを防止するにあたって、洗面器２に対しオーバーフロー口を設けたり、このオーバーフロー口に接続されるオーバーフロー管などを設けたりする必要がない。そのため、各種コストの低減を図ることができる。
【００６８】
さらに、オーバーフロー筒体３１における立設状態を解除した場合においては、保持手段１１により、貯水空間２３内にて、オーバーフロー筒体３１を保持することができる。すなわち、オーバーフロー筒体３１に付着した水が落下したとしても、全く問題のない位置にてオーバーフロー筒体３１を保持することができる。従って、良好な衛生性を実現しつつ、使用者にとっての使い勝手を大いに向上させることができる。
【００６９】
また、本実施形態では、被係止部５３に対する保持突起３３の係止及び係止解除を切換えるという簡易な手法により、オーバーフロー筒体３１の保持及び保持解除を容易に行うことができる。そのため、使い勝手をより高めることができる。
【００７０】
加えて、保持手段１１によってオーバーフロー筒体３１を保持した状態において、オーバーフロー筒体３１の少なくとも一部が排水口２４の鉛直上方に位置するため、オーバーフロー筒体３１から落下した水が排水口２４へと流れ込みやすくなる。これにより、衛生性や使用者にとっての使い勝手を一段と向上させることができる。
【００７１】
さらに、カウンタ４を設けることによって、物品の置き場を得ることができ、使用者にとっての利便性をより高めることができる。加えて、保持手段１１により保持されたオーバーフロー筒体３１は、カウンタ４の下方に収まった状態となるため、見栄えの向上を図ることができる。併せて、カウンタ４下には排水口２４が設けられており、洗面器２におけるカウンタ４下に位置する部位は比較的汚れやすいところ、このように汚れやすい部位をカウンタ４によって視認困難なものとすることができる。従って、見栄えをさらに向上させることができる。
【００７２】
加えて、保持手段１１の少なくとも一部（本実施形態では、保持棒５）は、カウンタ４の下面に取付けられている。従って、カウンタ４の存在によって、保持手段１１の少なくとも一部が見えにくい状態になる。これにより、見栄えを一層向上させることができる。
【００７３】
さらに、本実施形態では、閉状態及び開状態の双方において、前垂部３２及びカウンタ４により、排水口２４が視認不能又は視認困難となる。従って、異物や汚れの付着しやすい排水口２４が見えにくくなり、見栄えを効果的に高めることができる。また、後方凹部２２２Ｄ内に位置する排水口２４周りや洗面器２の壁に対する清掃はやや難しい場合があるが、前垂部３２及びカウンタ４によって後方凹部２２２Ｄ内も見えにくい状態となるため、後方凹部２２２Ｄ内に位置する排水口２４周りや洗面器２の壁の清掃を頻繁に行わなくても、洗面器２を外観上綺麗な状態で維持することができる。従って、良好な外観を維持するために排水口２４周りなどを頻繁に清掃する必要はなくなり、使い勝手の更なる向上を図ることができる。
【００７４】
加えて、後方凹部２２２Ｄに排水口２４が設けられているため、オーバーフロー筒体３１を立設状態としたときに、オーバーフロー筒体３１が後方凹部２２２Ｄに配置されることとなる。そのため、オーバーフロー筒体３１が邪魔となりにくくなり、使用者にとっての使い勝手を一層高めることができる。
【００７５】
また、第二保持手段１２によって、閉状態（立設状態）におけるオーバーフロー筒体３１の倒れをより確実に防止することができ、使用者にとっての使い勝手を一層向上させることができる。
【００７６】
尚、保持手段や第二保持手段を設けるにあたっては、例えば、洗面器２と保持手段及び第二保持手段とを一体成形したり、洗面器２に対し孔を形成した上で、この孔を用いて保持手段や第二保持手段を洗面器２へと取付けたりすること等により、洗面器２（側壁部２２など）に対し保持手段や第二保持手段を設けることが考えられる。しかしながら、洗面器２と保持手段等を一体成型することは困難であり、また、洗面器２に対し孔を形成することは容易ではなく、仮に孔を形成したとしても、洗面器２における水密性を確保するために、例えば、シール用のパッキンを設置するなどの各種処理などを行う必要が生じてしまう。
【００７７】
この点、本実施形態では、保持手段１１及び第二保持手段１２の少なくとも一部（保持棒５）は、カウンタ４の下面に取付けられている。そのため、洗面器２に保持手段や第二保持手段を設ける場合と比較して、水密性を確保するための処理などを特に行うことなく、保持手段１１や第二保持手段１２をより容易に設けることができる。
【００７８】
また、第二保持手段１２の少なくとも一部（保持棒５）がカウンタ４の下面に取付けられることで、オーバーフロー筒体３１を立設状態とした場合に、第二保持手段１２により、オーバーフロー筒体３１における上方側部位を容易に保持することができる。従って、オーバーフロー筒体３１をより安定的に立てた状態で維持することができ、使い勝手を一段と高めることができる。また、カウンタ４の存在によって、第二保持手段１２の少なくとも一部（保持棒５）が見えにくい状態になるため、見栄えをより一層向上させることも可能となる。
【００７９】
尚、上記実施形態の記載内容に限定されず、例えば次のように実施してもよい。勿論、以下において例示しない他の応用例、変更例も当然可能である。
【００８０】
（ａ）上記実施形態において、可動部材３は、保持手段１１によりオーバーフロー筒体３１を保持した場合において、カウンタ４の上面よりも上方に突出する部位が存在しないように構成されている。これに対し、図８に示すように、可動部材３に対し、オーバーフロー筒体３１と一体とされた（例えば、前垂部３２から上方に突出するように構成された）板状のガード部３４を設け、少なくとも保持手段１１によりオーバーフロー筒体３１を保持した場合において、前記ガード部３４の一部がカウンタ４の上面よりも上方に配置されるように構成してもよい。この場合には、ガード部３４のうちカウンタ４の上面よりも上方に配置される部位によって、カウンタ４に載置された物品の落下防止を図ることができる。これにより、使用者にとっての使い勝手をさらに向上させることができる。
【００８１】
尚、前記立設状態においても、ガード部の少なくとも一部がカウンタ４の上面よりも上方に配置されるように構成してもよい。また、ガード部の形状に関しては、カウンタ４に載置された物品の落下防止を図ることができる限り、特に限定されるものではない。
【００８２】
さらに、例えば、ガード部３４に対し持ち上げ用の持ち手部３５を設けること等により、オーバーフロー筒体３１に対し持ち手部３５を取付け、前記立設状態とした場合において、持ち手部３５の少なくとも一部が、オーバーフロー筒体３１（本体部３１１）の上端、すなわち、貯水空間２３における最大水位よりも上方に位置するように構成してもよい。この場合には、持ち手部３５を利用することで、洗面器２に貯まった水に手をつけることなく、立設状態を解除し、開状態とすることができる。従って、使用者にとっての快適性や利便性を高めることができる。
【００８３】
（ｂ）上記実施形態において、後方凹部２２２Ｄは、洗面器２における右奥に設けられているが、後方凹部の形成位置はこれに限定されるものではない。従って、後方凹部を、左側側壁部２２３に隣接するように設けることで、洗面器２における左奥に設けることとしてもよい。また、後方凹部を、後方側壁部２２２の中央に設けることとしてもよい。勿論、洗面器２に対し後方凹部を設けないこととしてもよい。
【００８４】
（ｃ）上記実施形態では、洗面器２の後方側壁部２２２に後方凹部２２２Ｄが設けられているが、図９に示すように、洗面器７の側壁部７２のうち、使用者から見て手前側に位置する前方側壁部７２１に対し後方及び上方が開放した前方凹部７２１Ｄを設けるとともに、当該前方凹部７２１Ｄに排水口７４を設けることとしてもよい。また、この場合には、前方凹部７２１Ｄに対応して前記可動部材３及びカウンタ４を設け、前記立設状態とした場合、及び、前記保持手段１１によりオーバーフロー筒体３１を保持した場合の双方において、前垂部３２が前方凹部７２１Ｄの後方開口部に配設され、前垂部３２及びカウンタ４によって、排水口７４及び前方凹部７２１Ｄ内が、使用者から視認不能又は視認困難となるように構成してもよい。
【００８５】
このように構成することで、閉状態及び開状態の双方において、前垂部３２及びカウンタ４により、排水口７４が視認不能又は視認困難となる。従って、異物や汚れの付着しやすい排水口７４が見えにくくなり、見栄えを効果的に高めることができる。
【００８６】
また、前方凹部７２１Ｄ内に位置する排水口７４周りや洗面器７の壁に対する清掃はやや難しい場合があるが、上記のように構成することで、前垂部３２及びカウンタ４によって前方凹部７２１Ｄ内も見えにくい状態となる。そのため、前方凹部７２１Ｄ内に位置する排水口７４周りや洗面器７の壁の清掃を頻繁に行わなくても、洗面器７を外観上綺麗な状態で維持することができる。従って、良好な外観を維持するために排水口７４周りなどを頻繁に清掃する必要はなくなり、使い勝手の更なる向上を図ることができる。
【００８７】
さらに、前方凹部７２１Ｄに排水口７４が設けられているため、前記立設状態において、オーバーフロー筒体３１が前方凹部７２１Ｄに配置されることとなる。そのため、オーバーフロー筒体３１が邪魔となりにくくなり、使用者にとっての使い勝手を一層高めることができる。
【００８８】
（ｄ）上記実施形態では前垂部３２が設けられているが、前垂部３２を設けないこととしてもよい。
【００８９】
（ｅ）上記実施形態では、保持手段１１によりオーバーフロー筒体３１を保持した状態において、オーバーフロー筒体３１は、鉛直方向に延びた状態、すなわち、カウンタ４と直交する方向に延びた状態で保持されるように構成されている。これに対し、図１０及び図１１（尚、図１０，１１では洗面器２等を不図示）に示すように、カウンタ４の下面に対し、例えば、弾性変形可能な複数のアーム状の保持手段１３を設け、当該保持手段１３によりオーバーフロー筒体３１を保持したときに、オーバーフロー筒体３１が、カウンタ４の直下方に位置するとともに、カウンタ４に対しほぼ平行な水平状態となるように構成してもよい。この場合には、保持手段１３によりオーバーフロー筒体３１を保持した状態において、上方から見たとき、オーバーフロー筒体３１をカウンタ４により隠れた状態とすることができる。そのため、見栄えを一層向上させることができる。
【００９０】
（ｆ）上記実施形態において、前記立設状態を解除した場合には、被係止部５３に対し保持突起３３を係止することで、オーバーフロー筒体３１が保持可能とされている。これに対し、図１２に示すように、保持手段１４が吸盤１５を備えるものとし、前記立設状態を解除した場合には、前記吸盤１５による吸着力によって（例えば、吸盤１５を側壁部２２に貼付けることによって）、オーバーフロー筒体３１を保持するように構成してもよい。この場合には、オーバーフロー筒体３１の保持及び保持解除を容易に行うことができ、使い勝手をさらに向上させることができる。尚、図１２においては、オーバーフロー筒体３１に取付けられた吸盤１５を示しているが、吸盤をその他の位置（例えば、洗面器２やカウンタ４など）に取付けることとしてもよい。
【００９１】
（ｇ）上記実施形態では、被載置部２１１に対しオーバーフロー筒体３１を載置することでオーバーフロー筒体３１が立設状態となるように構成されているが、排水口２４（排水口部材を設ける場合には、排水口部材の内周）に対しオーバーフロー筒体３１を立てた状態で挿入することにより、オーバーフロー筒体３１が立設状態となるように構成してもよい。尚、この場合には、立設状態において、オーバーフロー筒体３１の外周面と、これが挿入される部位（洗面器２における排水口２４を形成する部位や、排水口部材の内周部位）との間に、両者を水密にシールするためのパッキン部を設けることが好ましい。
【００９２】
（ｈ）上記実施形態では、保持手段１１によりオーバーフロー筒体３１を保持した状態において、オーバーフロー筒体３１は貯水空間２３内にて保持されるように構成されているが、オーバーフロー筒体３１を貯水空間２３の上方にて保持するように構成してもよい。また、保持手段１１によりオーバーフロー筒体３１を保持した状態において、貯水空間２３内及び貯水空間２３の上方の双方に対し、オーバーフロー筒体３１が存在する（オーバーフロー筒体３１の一部が貯水空間２３内に位置し、その他の部位が貯水空間２３の上方に位置する）ように構成してもよい。
【００９３】
また、上記実施形態では、カウンタ４に対し保持手段１１の少なくとも一部（保持棒５）が設けられているが、カウンタ４以外の部位に保持手段の少なくとも一部を設けることとしてもよい。例えば、図１３に示すように、洗面器２に対し、オーバーフロー筒体３１を保持（把持）可能な保持手段１６を設けることとしてもよい。また、例えば、洗面器２の近傍に位置する構造物（例えば、壁など）に対し、保持手段を設けることとしてもよい。
【００９４】
さらに、上記実施形態では、使用者がオーバーフロー筒体３１（可動部材３）は移動させることによって開状態及び閉状態の切換えが可能となっているが、例えば、図１４に示すように、使用者により押圧操作される操作部１７１と、当該操作部１７１の押圧操作に伴い、オーバーフロー筒体３１を上昇位置にてロックさせること及びロック解除により下降させることを交互に繰り返すように構成されたロック機構１７２とを備えた保持手段１７を用いることで、使用者が特にオーバーフロー筒体３１を触れることなく、操作部１７１の押圧操作により開状態及び閉状態が切換えられるように構成してもよい。
【００９５】
尚、図１５に示すように、ロック機構１７２を設けることなく、操作部１７１及びオーバーフロー筒体３１が連動するように構成しつつ、少なくとも前記立設状態を解除した場合（本例では、前記立設状態及び前記立設状態を解除した状態の双方の場合）に、摩擦力や係止力等によりオーバーフロー筒体３１が保持されるように保持手段１８を構成してもよい。
【００９６】
（ｉ）上記実施形態では、槽体として洗面器２を例示しているが、本発明の技術思想を適用可能な槽体は洗面器に限定されるものではない。従って、例えば、浴槽やキッチンの流し台などに対して本発明の技術思想を適用することとしてもよい。
【００９７】
（ｊ）上記実施形態における排水口２４の形成位置は例示であって、排水口２４は、底壁部２１に形成されている限り、その形成位置は特に限定されるものではない。
【符号の説明】
【００９８】
１…オーバーフロー付槽体、２…洗面器（槽体）、４…カウンタ、１１，１３，１４，１６，１７，１８…保持手段、１２…第二保持手段、１５…吸盤、２１…底壁部、２３…貯水空間、２４…排水口、３１…オーバーフロー筒体、３２…前垂部、３３…保持突起（係止部）、３４…ガード部、３５…持ち手部、５３…被係止部、２１１…被載置部、２２２…後方側壁部、２２２Ｄ…後方凹部、７２１…前方側壁部、７２１Ｄ…前方凹部。
【図１】
2017210803.tif 000003
【図２】
2017210803.tif 000004
【図３】
2017210803.tif 000005
【図４】
2017210803.tif 000006
【図５】
2017210803.tif 000007
【図６】
2017210803.tif 000008
【図７】
2017210803.tif 000009
【図８】
2017210803.tif 000010
【図９】
2017210803.tif 000011
【図１０】
2017210803.tif 000012
【図１１】
2017210803.tif 000013
【図１２】
2017210803.tif 000014
【図１３】
2017210803.tif 000015
【図１４】
2017210803.tif 000016
【図１５】
2017210803.tif 000017